(57)【要約】【課題】自然爪に容易に付着することができ、明確に見られるサイズ表示を安い費用で提供する人工爪を提供する。【解決手段】自然爪に付着するための人工爪は、自然爪の上面に付着可能なサイズ及び形状の底面を備えた爪本体と、爪本体の底面上に配置された感圧接着剤と、感圧接着剤を覆う剥離可能な裏当てフィルムとを含み、剥離可能な裏当てフィルムは爪本体のサイズを示す表示を備える。【選択図】  図３
2019193765.tif 000002
【特許請求の範囲】
【請求項１】
自然爪に付着するための人工爪であって、
前記自然爪の上面に付着可能なサイズ及び形状の底面を備えた爪本体と、
前記爪本体の底面上に配置された感圧接着剤と、
前記感圧接着剤を覆う剥離可能な裏当てフィルムとを含み、
前記剥離可能な裏当てフィルムは前記爪本体のサイズを示す表示を備える、人工爪。
【請求項２】
前記剥離可能な裏当てフィルムは、前記爪本体の縁端を超えて伸びて、前記感圧接着剤から前記剥離可能な裏当てフィルムを容易に除去することができるようにするタブ部を含み、前記表示は前記タブ部上に設けられている、請求項１に記載の人工爪。
【請求項３】
前記表示は、前記剥離可能な裏当てフィルムに切り込まれたラインを含む、請求項１に記載の人工爪。
【請求項４】
前記感圧接着剤及び前記剥離可能な裏当てフィルムは、前記感圧接着剤及び前記剥離可能な裏当てフィルムに貫設された切断線を含む、請求項１に記載の人工爪。
【請求項５】
前記表示は前記剥離可能な裏当てフィルム上に印刷されている、請求項１に記載の人工爪。
【請求項６】
前記表示は前記爪本体の曲率を示す、請求項１に記載の人工爪。
【請求項７】
自然爪に付着するための人工爪セットであって、
互いに異なるサイズを有し、それぞれ対応するサイズを有する自然爪の上面に付着可能なサイズ及び形状の底面を備える複数の爪本体と、
前記複数の爪本体のそれぞれの底面上に配置された感圧接着剤と、
前記複数の爪本体のそれぞれの感圧接着剤を覆い、それぞれが前記剥離可能な裏当てフィルムが付着される前記爪本体のサイズを示す表示を備えた剥離可能な裏当てフィルムと、
それぞれが前記爪本体に分離可能に連結され、前記爪本体を上部で一時的に支持するように構成された複数の脆弱な幹を含む支持構造とを含む、人工爪セット。
【請求項８】
前記剥離可能な裏当てフィルムはそれぞれ前記爪本体の縁端より伸びて、前記感圧接着剤から前記剥離可能な裏当てフィルムを容易に除去することができるようにするタブ部を含み、前記表示は前記タブ部上に提供される、請求項７に記載の人工爪セット。
【請求項９】
前記表示は、前記剥離可能な裏当てフィルムに切り込まれたラインを含む、請求項７に記載の人工爪セット。
【請求項１０】
前記感圧接着剤及び前記剥離可能な裏当てフィルムは、前記感圧接着剤及び前記剥離可能な裏当てフィルムに貫設された切断線を含む、請求項７に記載の人工爪セット。
【請求項１１】
前記表示は前記剥離可能な裏当てフィルム上に印刷されている、請求項７に記載の人工爪セット。
【請求項１２】
前記表示は前記爪本体の曲率を示す、請求項７に記載の人工爪セット。
【発明の詳細な説明】
【技術分野】
【０００１】
本発明は一般的に接着剤を使って自然爪に付着する人工爪に関し、より詳しくは適切なサイズの人工爪を選択し、選択した人工爪を自然爪に付着しやすくするサイズ表示を有する人工爪に関する。
【背景技術】
【０００２】
指の美容的な外観を向上させるために、長い間に人工爪が使われて来た。一部の人々は、彼らの爪が余りにも弱いから、割れない状態で所望の長さまで育てることができないという理由で、人工爪を使う。他の人々は、人工爪が自然爪より非常に丈夫で長続きするという理由で、かつ爪光沢剤が人工爪の表面にもっとうまく付着するという理由で、人工爪を使う。一部の人々は彼らの自然爪の形状及び輪郭線が気に入らなくて彼らの爪の外観を向上させるために人工爪を使う。
【０００３】
手装飾分野で、一般的に成形によって爪の形状に製造された薄いプラスチック部材の飾り用爪アクセサリーを提供することはよく知られている。実際に、非常に多くの人工爪製造者は、爪アクセサリーにおいて多様な材料、配列、及び色相の組合せを提供して来た。例えば、従来の予めデザインされた多くの爪はステンシル加工又はエアブラシ加工によって上面に形成された飾り柄を含む場合がたびたびあった。
【０００４】
このような人工爪アクセサリーの出現によって、使用者は自然爪に付着する爪を複雑に予めデザインし、後で易しく除去することができることになった。予めデザインされた人工爪は、一般的に、液状接着剤を人工爪の底面及び／又は自然爪の上面に塗布することによって、自然爪の表面に付着される。このように、アクセサリーが爪に付着される。この場合、使用者は接着剤の過剰量を拭き取るか又は切り取った（ｔｒｉｍ  ａｗａｙ）後、アクセサリーが爪に固定できるように、接着剤が乾くまで数分間待たなければならない。その後、一般的に人工爪の上面全体に上覆い（ｏｖｅｒｌａｙ）を位置させる。人工爪の上面の装飾デザインがよく見えるように、一般的に上覆いは透明又は半透明である。上覆いが配置されれば、人工爪は所望の形状を有することになる。
【０００５】
しかし、人工爪の一欠点は付着過程が煩わしくて汚いことである。特に、人工爪を付着するとき、人工爪を摘んだ状態でその爪の底面に接着剤を塗布する必要がある。その後、接着剤が塗布された底面が下に向かうように人工爪を覆し、人工爪を自然爪上に位置させなければならない。人工爪が適切に位置すれば、接着剤によって人工爪が自然爪に充分に固定されるように少しの圧力を爪に加えなければならない。このような過程の全てが行われるうち人工爪は他の手の指間に固定された状態で維持されるから、人工爪に塗布された接着剤がたびたび指に付くことになる。その結果、接着剤の接着特性が不利に変わるだけでなく、人工爪の取扱も難しくなる。爪を付着する度に接着剤を指から除去しなければならないため、工程にもっと長い時間がかかる。
【０００６】
このような取扱問題を緩和するための従来技術の一例がチャン（Ｃｈａｎｇ）らに許与された米国特許第６，８９２，７３６号に開示されている。この特許は、自然爪に付着するための人工爪であって、自然爪の上面に付着可能なサイズ及び形状の近位端と近位端に向かい合う遠位端を備えた爪本体を含む人工爪を開示している。爪本体を自然爪に付着するうちに把持されるように構成されたアプリケーションタブが爪本体の遠位端から外方に伸びる。
【０００７】
このような取扱問題を解決するための従来技術の他の例がチャン（Ｃｈａｎｇ）に許与された米国特許第８，５２８，５７０号に開示されている。チャンに許与された米国特許第８，５２８，５７０号は、その下面（ｕｎｄｅｒｓｉｄｅ）に感圧接着剤が配置された爪本体を備えるワンタッチ人工爪を開示している。使用時、感圧接着剤を覆って付着前の感圧接着剤を保護する剥離テープが除去されて接着層を露出させ、自然爪上で爪本体を押せば、人工爪が自然爪に固定される。剥離テープには、接着剤から剥離テープを易しく除去するために摘まれる取扱タブが備えられている。
【０００８】
これらの特許は取扱問題に対する解決策を開示しているが、適切なサイズの人工爪を選択し、選択された人工爪を自然爪に付着することに係わる問題がやはり存在する。爪のサイズは人ごとに違うから、全ての爪に普遍的に適合する単一人工爪をデザインすることは事実上不可能である。
【０００９】
このような問題を解決するために、多様なサイズを有する多数の人工爪からなる人工爪セットが提供されている。例えば、典型的な人工爪パッケージにおいては、それぞれの指に対して二つ以上の相異なるサイズの人工爪を提供することができる。この場合、それぞれの爪のサイズ表示が爪本体上に提供されるとか、前述したようなチャン（Ｃｈａｎｇ）らに許与された米国特許第６，８９２，７３６号に開示されたアプリケーションタブ上に提供される。
【００１０】
しかし、サイズ表示を爪本体上に提供することによって引き起こされる一欠点は、人工爪を自然爪に付着した後にその表示が依然として目立つことになって外観が美的観点で好ましくないことである。サイズ表示が除去可能なアプリケーションタブ上に提供される場合にも、プラスチック射出成形工程中に爪本体内に表示を形成するために特別に設計される金型（モールド）によって構成がもっと複雑になり、費用が増加する問題が依然として存在する。他の状況においては、成形によって爪本体又はアプリケーションタブに形成された表示は、製品の付着前には見にくい場合がたびたびある。
【先行技術文献】
【特許文献】
【００１１】
【特許文献１】米国特許第６，８９２，７３６号公報
【特許文献２】米国特許第８，５２８，５７０号公報
【発明の概要】
【発明が解決しようとする課題】
【００１２】
したがって、前述した欠点を有しないながらも自然爪に容易に付着することができる人工爪を提供することが好ましい。また、明確に見られるサイズ表示を人工爪に安い費用で提供することが好ましい。
【課題を解決するための手段】
【００１３】
本発明は、自然爪（ｎａｔｕｒａｌ  ｎａｉｌ）に付着するための人工爪（ａｒｔｉｆｉｃｉａｌ  ｎａｉｌ）であって、自然爪の上面に付着可能なサイズ及び形状の底面を備えた爪本体と、爪本体の底面上に配置された感圧接着剤と、感圧接着剤を覆う剥離可能な裏当てフィルム（ｒｅｌｅａｓａｂｌｅ  ｂａｃｋｉｎｇ  ｆｉｌｍ）とを含み、剥離可能な裏当てフィルムは爪本体のサイズを示す表示を備える人工爪を有している。
【００１４】
好適な一実施例において、剥離可能な裏当てフィルムは爪本体の縁端を超えて伸びて、感圧接着剤から剥離可能な裏当てフィルムを容易に除去することができるようにするタブ部（ｔａｂ  ｐｏｒｔｉｏｎ）を含み、表示はタブ部上に設けられている。
【００１５】
表示は剥離可能な裏当てフィルムに切り込まれたライン（ｌｉｎｅｓ）によって形成されるか剥離可能な裏当てフィルム上に印刷されることができる。感圧接着剤及び剥離可能な裏当てフィルムは、感圧接着剤及び剥離可能な裏当てフィルムに貫設された切断線（ｃｕｔｔｉｎｇ  ｌｉｎｅｓ）を含むことができる。また、表示は爪本体の湾曲（曲率）を示すことがより好ましい。
【００１６】
本発明の他の態様によると、自然爪に付着するための人工爪セットが提供される。一般に、人工爪セットは、互いに異なるサイズを有する複数の爪本体を含む。爪本体は、それぞれ対応するサイズを有する自然爪の上面に付着可能なサイズ及び形状の底面を備える。人工爪セットは、それぞれの爪本体の底面上に配置された感圧接着剤と、それぞれの爪本体の感圧接着剤を覆う剥離可能な裏当てフィルムとを含み、それぞれの爪本体の剥離可能な裏当てフィルムは、剥離可能な裏当てフィルムが付着される爪本体のサイズを示す表示を備える。また、複数の壊れやすい幹（ステム）を含む支持構造が提供され、それぞれの幹は爪本体に分離可能に連結されて爪本体を上部で一時的に支持する。
【００１７】
本明細書で使われる“人工爪”は、販売時に“チップ（ｔｉｐｓ）”と呼ばれる爪延長部も含む。よって、人工爪はフルカバーであり得る。この場合、爪本体の近位端は自然爪の全爪の底（ｆｕｌｌ  ｎａｉｌ  ｂｅｄ）に実質的に対応するサイズ及び形状を有する。これとは違い、人工爪は爪チップであり得る。この場合、爪本体の近位端は自然爪の遠位端にだけ付着可能なサイズ及び形状を有する。
【発明の効果】
【００１８】
本発明によると、安い費用で付着することができ、爪のサイズ表示が見やすい人工爪が提供される。
【００１９】
本発明のその他の目的及び特徴は添付図面を参照する以下の詳細な説明から明らかになるであろう。しかし、添付図面はただ例示の目的で提供したもので、これによって本発明が制限されないことを理解しなければならない。
【図面の簡単な説明】
【００２０】
【図１】従来技術によるサイズ表示（ｉｎｄｉｃｉａ）を有する人工爪の上部斜視図である。
【図２】従来技術によるアプリケーションタブ上にサイズ表示を有する人工爪の上部斜視図である。
【図３】本発明によるサイズ表示を有する人工爪の底面図である。
【図４】本発明によるサイズ表示を有する人工爪の他の実施例の底面図である。
【図５】本発明による人工爪のさらに他の実施例の分解斜視図である。
【図６】図３に示すような本発明による互いに異なるサイズの人工爪からなる人工爪セットの上部斜視図である。
【発明を実施するための形態】
【００２１】
図１及び図２は従来技術による人工爪１０を示している。それぞれの場合において、人工爪１０は遠位端（ｄｉｓｔａｌ  ｅｎｄ）１４と遠位端に向かい合う近位端（ｐｒｏｘｉｍａｌ  ｅｎｄ）１６を備えた一体型に成形された本体１２を含む。近位端１６及び、特に近位端に隣り合う底面は自然爪の上面に付着可能なサイズ及び形状を持っている。遠位端１４は、人工爪が自然爪に付着されるとき、自然爪の端部を超えて伸びているサイズを有するか、自然爪の端部と一致するサイズを有することができる。
【００２２】
爪本体１２は丸く形成されるか又は一直線形に形成されることができ、爪本体１２の寸法は特に限定されない。付言すると、人工爪１０は手の爪及び／又は足指の爪に付着されることができ、多様なサイズ及び形状を有することができる。例えば、爪本体１２の近位端１６は、サイズ及び形状が、自然爪の全爪の底に事実上対応することができる。よって、人工爪は自然爪の全爪の底面にわたって付着されるフルネールカバーと呼ぶことができる。これとは違い、近位端１６は自然爪の遠位端にだけ付着されることができる。すなわち、例えば近位端１６は、サイズ及び形状が、自然爪の底の遠位端にだけ対応することができる。よって、人工爪は自然爪の端部に付着されるネールチップと呼ぶことができる。しかし、一応、適切に付着された後には、チップとカバーを区別することが難しい場合がたびたび発生する。
【００２３】
図２はチャン（Ｃｈａｎｇ）らに許与された米国特許第６，８９２，７３６号に開示された人工爪の一実施例を示している。この実施例においては、アプリケーションタブ１８が爪本体１２の遠位端１４から外方に伸びており、母指と人差し指の間に摘まれることにより、人工爪１０が自然爪に容易に付着されるように構成されている。アプリケーションタブ１８は、一般的に爪本体１２の遠位端１４に隣接して配置され、分離ライン２２に沿って爪本体からアプリケーションタブを分離するための脆弱部（ｆｒａｎｇｉｂｌｅ  ｐｏｒｔｉｏｎ）２０を含む。
【００２４】
前述したように、図１に示す爪本体上に又は図２に示すアプリケーションタブ上に、爪１０のサイズを示す表示（ｉｎｄｉｃｉａ）２４を提供することは本発明が属する技術分野でよく知られている。表示２４は一般的に成形（モールディング）又はエッチングによって爪本体１２又はアプリケーションタブ内に形成される。しかし、表示が成形によって爪本体又はアプリケーションタブ内に形成される場合、予め付着された爪内で表示を見にくい場合がたびたび発生する。視認性を向上させるために多くの努力が注がれてきたが、人工爪を自然爪に付着した後にも表示が目立つため、その外観は美的観点で好ましくない。サイズ表示が除去可能なアプリケーションタブ上に提供される場合にも、プラスチック射出成形工程中に爪本体内に表示を形成するために特別に設計される金型（モールド）によって構成がもっと複雑になり、費用が増加する問題が依然として存在する。
【００２５】
図３及び図４を参照すると、このような問題を解決する人工爪５０が示されている。本発明による人工爪５０は、さまざまな点で、図１及び図２を参照して説明した人工爪１０と似ている。例えば、人工爪５０は、遠位端５４と遠位端に向かい合う近位端５６を備えた一体型（ｏｎｅ−ｐｉｅｃｅ）に成形された本体５２を含んでいる。近位端５６と、特に近位端に隣接した底面５８は自然爪の上面に付着することができるサイズ及び形状を有している。
【００２６】
しかし、本発明によると、感圧接着剤（ｐｒｅｓｓｕｒｅ  ｓｅｎｓｉｔｉｖｅ  ａｄｈｅｓｉｖｅ）６０が底面５８に塗布されており、剥離可能な裏当てフィルム（ｒｅｌｅａｓａｂｌｅ  ｂａｃｋｉｎｇ  ｆｉｌｍ）６２が感圧接着剤の全体にわたって付着されることで、人工爪の付着前に接着剤を保護している。人工爪５０のサイズを示す表示６４が剥離可能な裏当てフィルム６２上に提供されている。表示６４は、図３に示すように、裏当てフィルムのタブ部６６上に提供されることが好ましい。あるいは、爪の底側から見えるように、表示６４は裏当てフィルム６２上のその他のどの位置にも設けることができる。
【００２７】
図５に示す本発明の変形例の場合、人工爪は、Ｃｈａｎｇに共有された米国特許第８，５２８，５７０号に開示された特徴も有することができる。ここで、本発明によるワンタッチ人工爪は、一般的に爪本体２１０を備えた人工爪ユニット２００と、人工爪ユニット２００を爪に付着するために使われる両面接着テープ体１１０と、剥離テープ（ｒｅｌｅａｓｅ  ｔａｐｅ）１２０とを含んでいる。第１切断線１１４及び第２切断線１２４がそれぞれ両面接着テープ体１１０及び剥離テープ１２０に形成されている。第１切断線１１４及び第２切断線１２４はそれぞれ両面接着テープ体１１０及び剥離テープ１２０に貫設されている。
【００２８】
したがって、平坦な形状を有する両面接着テープ体１１０及び剥離テープ１２０が曲線形状を有する爪本体２１０に付着されるとき、爪本体２１０と両面接着テープ体１１０の間に位置する空気が第１切断線１１４及び第２切断線１２４を通じて外部に放出される。さらに、第１切断線１１４及び第２切断線１２４は直線形状を有するように形成されているから、両面接着テープの剛性を維持することができる。付言すると、剥離テープ１２０が両面接着テープ体１１０から分離されるとき、両面接着テープ体１１０が破れることを防止することができる。また、剥離テープ１２０の面積が両面接着テープ体１１０の面積より大きいから、不純物が両面接着テープに付くことを防止することができる。
【００２９】
爪本体２１０は、人工爪の自由縁端（ｆｒｅｅ  ｅｄｇｅ  ｓｉｄｅ）に位置する遠位端２１１と、爪の角皮（キューティクル）に位置する近位端２１３と、側部２１５と、爪と対面する位置に形成された接着面２１９とを含んでいる。両面接着テープ体１１０は複数の第１切断線１１４を切断することによって形成された複数の非連結部分と、複数の非連結部分が互いに分離されないように第１切断線１１４の間に形成された連結部分１１２ａとを含んでいる。
【００３０】
剥離テープ１２０は両面接着テープ体１１０より大きな面積を有し、両面接着テープ体１１０が剥離テープ１２０から離脱しないように、両面接着テープ体は剥離テープ１２０の上部に付着されている。剥離テープ１２０は、爪本体２１０の一端部２１１の外周面に連結され、それから突出したつまみ（グリップ）１２２をさらに含むことが好ましい。
【００３１】
剥離テープ１２０は、ＰＥ、ＥＶＡ、ＰＰ、ＰＯＥ、及びＰＥＴのいずれか１種又はそれらの共重合体（ｃｏｐｏｌｙｍｅｒｓ）又は混合物（ｂｌｅｎｄｓ）から製造されることができる。また、剥離テープ１２０は５ｋｇ／ｃｍ２以上の引張強度を有することが好ましい。剥離テープ１２０が前述した材料から製造される場合、剥離テープの厚さは３０μｍ〜３００μｍであることが好ましい。
【００３２】
両面接着テープ体１１０は１５０〜８００μｍの厚さを有するように形成されることが好ましい。両面接着テープ体１１０の剥離強度は３００ｇｆ／１０ｍｍ以上であることが好ましい。本発明によるワンタッチ人工爪において、両面接着テープ体１１０は単層からなることもでき、複数の層が積層された積層構造からなることもできる。
【００３３】
前述したように、爪のサイズを示す表示１６４が剥離テープ１２０上に提供されている。表示１６４はつまみ１２２上に提供されることが好ましいが、剥離テープ１２０上のその他のどの位置にも提供されることができる。表示１６４は、剥離テープを製造するためのスタンピング工程又はカッティング工程を行っているうちに複数の切断線として形成されることができる。特に、剥離テープを形成するために使われるスタンピングダイ又はカッティングダイは表示を剥離テープ内に刻印する（ｉｍｐｒｅｓｓ）又は切り取るための隆起部（ｒａｉｓｅｄ  ｐｏｒｔｉｏｎｓ）を含むことができる。これとは違い、表示１６４が後続の印刷工程中に剥離テープ上に印刷されるとか、公知のいずれかの技術によって他の方法で形成されることができる。
【００３４】
表示６４及び表示１６４は幅の観点で爪本体５２及び爪本体２１０のサイズを示すことができる。例えば、＃１（最大）から＃１５（最小）までの産業的に通用するサイズを示すことができる。これとは違い、あるいはそれに加え、表示６４及び表示１６４は爪の幅方向及び／又は長手方向への湾曲（ｃｕｒｖａｔｕｒｅ）の観点で爪本体５２及び爪本体２１０のサイズを示すことができる。例えば、自然爪は人ごとに幅方向及び長手方向の湾曲（曲率）が違うから、このような違いに対応することができる人工爪を提供することが好ましいということが分かった。よって、爪にはエキストラフラット（ＥＦ）、フラット（Ｆ）、レギュラー（Ｒ）、ハイ（Ｈ）、及びエキストラハイ（ＥＨ）に区分される幅方向への曲率を有することができる。このように、爪にはミディアム（Ｍ）及びカーブ（Ｃ）の長手方向への曲率を有することができる。このように、幅方向への湾曲がフラットでありながら長手方向への曲率がミディアムである＃５幅の爪は、図２に示すもののように、“Ｆ−Ｍ＃５”を示す表示を備えた剥離テープを含むことができる。
【００３５】
図６は本発明によって形成された人工爪１０からなる一般的な人工爪セット２６を例示している。人工爪セット２６は、射出成形によって、中心木のような支持構造２８に連結された、互いに間隔を置いて配置された互いに異なるサイズの複数の人工爪１０を含む単一部（ｕｎｉｔａｒｙ  ｐａｒｔ）として製造されることが好ましい。それぞれの人工爪１０は、爪本体１２と、爪の下面（ｕｎｄｅｒｓｉｄｅ）に塗布される感圧接着剤（図示せず）と、感圧接着剤を覆う剥離テープ６２とを含んでいる。この実施例においては、使用者がそれぞれの爪のサイズが容易に分かるように、それぞれの爪の剥離テープ６２のつまみ６６に表示６４が提供される。図６に示すように、表示６４は爪ごとに違う。人工爪１０は美観上見よいながらも機能的なパターンで支持構造２８上に配列されることが好ましい。特に、人工爪１０はサイズ順に配列されることが好ましく、支持構造２８に沿って並んで配置されることが好ましい。全ての人工爪１０が支持構造２８と一体に成形されるので、爪セット全体は比較的に容易に製造され、後続のパッケージング工程及び使用段階での取扱が比較的に容易になる。
【００３６】
人工爪１０を付着しようとする場合、まず使用者はそれぞれの爪の剥離テープ６２上に表示された表示６４によって所望の爪サイズを選択することができる。その後、使用者は選択した人工爪１０の爪本体１２を母指と人差し指の間に摘み、支持構造２８から人工爪を容易に分離することができる。これに関して、支持構造２８は、それぞれの爪本体１２の近位端１６に連結された、壊れやすいとか割れやすい幹（ステム）３０を含むことが好ましい。このような幹を提供することにより、使用者は爪本体１２を損傷させずに中心木から人工爪１０を手でボキッと折ることができるようになる。
【００３７】
人工爪が中心木から除去されれば、感圧接着剤を露出させるために剥離テープを除去する。すると、人工爪の接着面が自然爪上に位置することになり、少しの圧力を加えることによって人工爪を自然爪に便利に固定することができる。
【００３８】
以上のように本発明の好適な実施例を説明したが、本発明が属する分野の通常の知識を有する者であれば本発明の精神を逸脱しない範疇内で多様な変更及び変形が可能であることが分かる。そして、このような全ての変更及び変形は本発明の範囲に含まれるものと解釈されなければならない。
【符号の説明】
【００３９】
１０，５０：人工爪、２６：人工爪セット、２８：支持構造、３０：幹（ステム）、５２：本体、６０：感圧接着剤、６２：裏当てフィルム、６４：表示
【図１】
2019193765.tif 000003
【図２】
2019193765.tif 000004
【図３】
2019193765.tif 000005
【図４】
2019193765.tif 000006
【図５】
2019193765.tif 000007
【図６】
2019193765.tif 000008